(57)【要約】【課題】充電式の電池パックを有する無線装置において、近距離通信などの通信機能と非接触充電機能を、省スペースかつ高性能に実現する。【解決手段】筐体２に対して表裏を反転させて着脱可能な電池パック２０と、この電池パックの表面と裏面のうちの一方に設けられた通信用のアンテナ２３と、電池パックの表面と裏面のうちの他方に設けられた非接触充電用のコイル２２と、筐体２に設けられて電池パック内の電池セル２１から電力供給を受けて作動し、コイル２２を介して外部から非接触で供給される電力によって電池セルの充電を行う非接触充電機能、及び、アンテナ２３を介して通信を行う通信機能を有する無線装置本体１ａと、を備える構成とする。【選択図】  図５
2012244263.tif 000002
【特許請求の範囲】
【請求項１】
筐体と、
この筐体に装着される電池パックと、
この電池パックの表面と裏面のうちの一方に設けられた通信用のアンテナと、
前記電池パックの表面と裏面のうちの他方に設けられた非接触充電用のコイルと、
前記筐体に設けられて前記電池パック内の電池セルから電力供給を受けて作動し、少なくとも、前記コイルを介して外部から非接触で供給される電力によって前記電池セルの充電を行う非接触充電機能、及び、前記アンテナを介して外部との通信を行う通信機能を有する無線装置本体と、
を備えることを特徴とする無線装置。
【請求項２】
前記筐体は、一面に電池装着部を有し、
前記電池パックは、前記電池装着部に対して表裏を反転させて着脱可能であることを特徴とする請求項１に記載の無線装置。
【請求項３】
前記電池パックの着脱の際に前記コイルと前記無線装置本体との間の電気的接続及び離脱を行う充電用コネクタと、前記電池パックの着脱の際に前記アンテナと前記無線装置本体との間の電気的接続及び離脱を行う通信用コネクタとは、前記電池装着部と前記電池パックとに設けられて前記電池パックの着脱にともなって接離する端子により構成されていることを特徴とする請求項２に記載の無線装置。
【請求項４】
前記コイルが前記電池装着部の表面側に位置する前記電池パックの装着状態では、前記充電用コネクタが接続状態となる一方で、前記通信用コネクタが非接続状態となり、
前記アンテナが前記電池装着部の表面側に位置する前記電池パックの装着状態では、前記通信用コネクタが接続状態となる一方で、前記充電用コネクタが非接続状態となることを特徴とする請求項３に記載の無線装置。
【請求項５】
前記電池パックの着脱の際に前記電池セルと前記無線装置本体との間の電気的接続及び離脱を行う電池用コネクタは、前記電池装着部と前記電池パックとに設けられて前記電池パックの着脱にともなって接離する端子により構成されていることを特徴とする請求項２ないし請求項４のいずれかに記載の無線装置。
【請求項６】
前記電池用コネクタを構成する前記端子の一方側が、前記電池パックの反転の中心となる軸線に対して対称に設けられていることにより、前記コイルが前記電池装着部の表面側に位置する前記電池パックの装着状態においても、前記アンテナが前記電池装着部の表面側に位置する前記電池パックの装着状態においても、前記電池用コネクタが接続状態となることを特徴とする請求項５に記載の無線装置。
【請求項７】
前記アンテナを介して外部と行う通信は、ＲＦＩＤ機能のための近距離通信であることを特徴とする請求項１ないし請求項６のいずれかに記載の無線装置。
【発明の詳細な説明】
【技術分野】
【０００１】
本発明は、非接触充電機能を備えた無線装置に関する。
【背景技術】
【０００２】
従来、非接触充電機能を備えた無線装置としては、例えば特許文献１や特許文献２に記載されたものがある。これは、通信用のアンテナと非接触充電用のコイル（電磁誘導のためのコイル）とを共用化したものである。なお、携帯電話機などの無線装置の通信用アンテナとしては、通常の音声通話やデータ通信のためのアンテナの他に、ＲＦＩＤ（Radio Frequency Identification）機能のための近距離通信用のアンテナ（例えば、ループ状のアンテナ）や、ローカルエリアネットワーク（LAN）に接続するためのアンテナ、テレビ放送受信用のアンテナなど、各種のアンテナが多数設けられるのが一般的となっている。例えば、特許文献３には、ＲＦＩＤ機能のためのアンテナを携帯電話機の電池パックに実装したものが開示されている。
【先行技術文献】
【特許文献】
【０００３】
【特許文献１】特開２００１−３０７０３２号公報
【特許文献２】特開２０１１−０３０４０４号公報
【特許文献３】特開２００５−１１７３５４号公報
【発明の概要】
【発明が解決しようとする課題】
【０００４】
ところで、非接触充電用のコイルや通信用アンテナは他のアンテナや金属部品が近くにある場合、必要な性能が確保し難く、特に前述したように多種のアンテナやコイルが搭載される携帯電話機などの無線装置では、アンテナやコイルの各性能を確保しつつ、いかにコンパクトにこれらを配置するかが設計上の課題となっている。特に、ＲＦＩＤのアンテナと非接触充電のためのコイルは、ある程度の面積が必要であり、通信距離も短い。そのため、搭載位置が限られ、２つのアンテナを干渉がないように十分に離して搭載することが困難となっていた。
【０００５】
そこで、前述した特許文献１や特許文献２のように通信用アンテナと非接触充電用コイルを共用化することが考えられるが、これには次のような問題がある。すなわち、通信と非接触充電の電磁誘導で異なる周波数を使う場合、十分な特性が出せない問題がある。例えば、ＲＦＩＤのアンテナと電磁誘導のコイルを共用する技術はあるが、ＲＦＩＤと非接触充電の電磁誘導で異なる周波数を使う場合、十分な特性が出せない場合がある。周波数の切替え回路などで対応したとしても、単独のアンテナに対しては性能が劣ってしまう。
【０００６】
なお、ＲＦＩＤも非接触充電もそれぞれ規格があり、標準化のためにも各規格に準じた設計が必要となっている。例えば、ＲＦＩＤの規格であるFeliCa（登録商標）は周波数が１３．５ＭＨzであり、非接触充電の規格であるQi（登録商標）は周波数が１００ＫＨz程度で、かつ、コイルのサイズも規定されていている。そのような規格による制約から、ＲＦＩＤのアンテナと非接触充電のコイルの共用した場合、それぞれの規格を満足し、さらに各機能の十分な無線性能を確保することが困難であった。
そこで本発明は、非接触充電機能を備えた無線装置において、近距離通信などの通信機能と非接触充電機能を、省スペースかつ高性能に実現することを目的とする。
【課題を解決するための手段】
【０００７】
本発明の無線装置は、筐体と、
この筐体に装着される電池パックと、
この電池パックの表面と裏面のうちの一方に設けられた通信用のアンテナと、
前記電池パックの表面と裏面のうちの他方に設けられた非接触充電用のコイルと、
前記筐体に設けられて前記電池パック内の電池セルから電力供給を受けて作動し、少なくとも、前記コイルを介して外部から非接触で供給される電力によって前記電池セルの充電を行う非接触充電機能、及び、前記アンテナを介して外部との通信を行う通信機能を有する無線装置本体と、
を備えることを特徴とする無線装置である。
【発明の効果】
【０００８】
本発明によれば、近距離通信などの通信機能と非接触充電機能を、省スペースかつ高性能に実現できる。
【図面の簡単な説明】
【０００９】
【図１】実施形態である携帯電話機の外観斜視図である。
【図２】前記携帯電話機の概念的な内部ブロック図である。
【図３】（ａ）は前記携帯電話機の裏面図、（ｂ）は電池パックの上面図である。
【図４】（ａ）は電池パックの正面図、（ｂ）は電池パックの裏面図である。
【図５】前記携帯電話機の裏面図であり、（ａ）は電池パックの正面を手前側にして装着した状態、（ｂ）は電池パックの裏面を手前側にして装着した状態を示す図である。
【図６】前記携帯電話機の要部の概念的なブロック図であり、（ａ）は電池パックの正面（アンテナ側）を手前側（電話機裏面の表面側）にして装着した状態、（ｂ）は電池パックの裏面（コイル側）を手前側にして装着した状態を示す図である。
【発明を実施するための形態】
【００１０】
（第１実施形態）
以下、本発明の第１実施形態（本発明を携帯電話機に適用した例）を、図面を参照しながら説明する。
図１は、本実施形態に係る携帯電話機１（ＲＦＩＤ機能及び非接触充電機能付き携帯電話機）の外観図である。この図において、携帯電話機１は、筐体２の主面（表面であって主たる操作対象となる面のこと）にタッチパネル３を設けるとともに、そのタッチパネル３の背面に液晶ディスプレイやＥＬパネルなどの表示デバイスからなる表示部４を設けている。また、そのタッチパネル３の上辺近くに受話器としてのスピーカ５ａやインカメラ７を設け、さらに、そのタッチパネル３の下辺近くにキー１２ａ，１２ｂ，１２ｃを設けている。
【００１１】
ここで、「近く」とは、少なくとも筐体２の主面の端からタッチパネル３の端までの間のいわゆる額縁内の任意の位置のことをいう。筐体２は、回路基板等の内蔵部品を収納して携帯電話機１の表面を構成するフレームであり、手持ちに適した形状、この場合、薄い直方体状の箱形となっている。キー１２ａ，１２ｂ，１２ｃは、利用者が押下する操作ボタンであり、それぞれ、例えばメニューを表示させるためのメニューキー、デスクトップ（初期画面）を表示させるホームキー、一つ前の画面に戻すための戻るキーである。また、図１における符号６は、筐体２の下端面に設けられた送話器としてのマイクを示す。
【００１２】
なお、筐体２の任意部分に、電源ボタンやバッテリ充電用端子などが設けられているが、図では省略している。また図示省略しているが、筐体２の任意部分に、着脱可能なカード型メモリを装着する装着部（スロット）が設けられていてもよい。また図３（ａ）に示しているが、筐体２の裏面（主面と反対側の面）に、着信音やアラーム或いは楽音などを出力するためのスピーカ５ｂが設けられている。
【００１３】
図２は、携帯電話機１の概念的な内部ブロック図である。この図において、携帯電話機１は、タッチパネル３、表示部４、インカメラ７、無線通信部８、音声入出力部９、中央制御部１０、電源・充電回路１１、操作部１２、アウトカメラ１３、ＲＦＩＤ回路１４、電池パック２０を備える。なお、携帯電話機１を構成する実際の回路や機器は、通常、主にベースバンドブロックと無線ブロックとに分けられる。このようにブロック分けされた場合、図２における無線通信部８が無線ブロックに属し、タッチパネル３、表示部４、インカメラ７、中央制御部１０、操作部１２、及びアウトカメラ１３等がベースバンドブロックに属する。
【００１４】
無線通信部８は、アンテナ８ａを介して最寄りの基地局（図示略）等との間で無線によるデジタルデータの送受信を行う。デジタルデータには、電話の着呼や発呼の情報および音声通話の情報が含まれる。この無線通信部８は、中央制御部１０からの制御に従って、上記のデジタルデータの送信や受信を行う。例えば、衆網基地局や家庭用親機からの無線信号は、無線通信部８によって復調され出力される。この無線通信部８からの出力信号は、音声信号又は制御信号としてベースバンドブロックの中央制御部１０に入力される。このうち、音声信号は、音声処理されてスピーカ５ａ等から音声として出力される。制御信号は、ベースバンドブロック内の処理に用いられる。なお、アンテナ８ａは、公知のダイバーシティ（Diversity）やＭＩＭＯ（Multiple input output）などのマルチアンテナ技術に対応する場合には、複数設けられる。
【００１５】
音声入出力部９は、中央制御部１０からの制御により、マイク６で拾った音声信号をデジタルデータに変換して中央制御部１０に出力したり、中央制御部１０から出力されたデジタルの音声信号をアナログ信号に変換してスピーカ５ａから拡声したりする。マイク６やスピーカ５ａは電話の送受話用であるが、スピーカ５ａは、さらに電話の着信音等（或いはムービー再生等に伴う音声）の出力に用いられてもよい。なお、前述したように受話用のスピーカ５ａとは別に、筐体２の裏面にはスピーカ５ｂが設けられており、音声入出力部９を介してこのスピーカ５ｂから着信音等の出力を行ってもよい。
【００１６】
表示部４は、先にも説明したとおり、その前面に、人体の一部（例えば、手の指）の接触又は接近を検知できるタッチパネル３を併設している。タッチパネル３は、例えば、圧電方式のものであってもよいし、静電容量方式のものであってもよい。
【００１７】
電池パック２０は、充電可能な二次電池である電池セル２１と、非接触充電用のコイル２２と、ＲＦＩＤアンテナ２３とを備える。この電池パック２０の詳細については、後述する。なお、携帯電話機１（無線装置）の電池パック２０を除いた部分を、図６に示すように携帯電話本体１ａ（無線装置本体）と定義する。
【００１８】
電源・充電回路１１は、電池パック２０の電池セル２１の電力から携帯電話機１の動作に必要な各種電源電圧を発生して各部に供給する電源回路としての機能と、コイル２２を介して外部から非接触で供給される電力によって電池セル２１の充電を行う充電回路としての機能と、を有する。なお後述するように、本実施形態で非接触充電機能を有効にするためには、図６（ｂ）に示す状態（後述する裏面外側状態）で電池パック２０を装着する必要がある。図２では、図６（ａ）に示す状態（後述する正面外側状態）で電池パック２０が装着されている状態を図示している。
【００１９】
操作部１２は、前述した電源ボタンやキー１２ａ，１２ｂ，１２ｃなどの操作の入力処理を行う。なお、タッチパネル３は、ダイヤル入力、文字入力、コマンド入力などを入力するもので、中央制御部１０は、操作部１２とこのタッチパネル３からの入力操作信号に応じた処理を実行する。
【００２０】
中央制御部１０は、マイクロコンピュータ（以下、ＣＰＵと表記する。）１０ａ、読み出し専用半導体メモリ（以下、ＲＯＭと表記する。）１０ｂ、高速半導体メモリ（以下、ＲＡＭと表記する。）１０ｃ、書き換え可能な不揮発性半導体メモリ（フラッシュメモリやＥＥＰＲＯＭなど。以下、ＥＰＲＯＭと表記する。）１０ｄ、ならびに不図示の周辺回路を含むプログラム制御方式の制御要素である。この中央制御部１０は、あらかじめＲＯＭ１０ｂやＥＰＲＯＭ１０ｄに格納されている制御プログラムをＲＡＭ１０ｃにロードしてＣＰＵ１０ａで実行することにより、各種の処理を逐次に実行して、この携帯電話機１の全体動作を統括制御する。
【００２１】
次に、インカメラ７は、筐体２における表示部４と同じ面（すなわち主面）に設けられ、例えば携帯電話機１を持っている利用者自身の顔を含む静止画又は動画を撮像可能である。またアウトカメラ１３は、筐体２の裏面（主面と反対側の面）に設けられ、他者や風景などの静止画又は動画を撮像するためのカメラである。利用者は、キー１２ａ，１２ｂ，１２ｃやタッチパネル３を操作することによって、インカメラ７やこのアウトカメラ１３による静止画や動画の撮影等のアプリケーションを作動させることが可能となっている。また図示省略しているが、筐体２における例えば右側の側面には、利用者が操作してこれらカメラによる撮影のシャッター操作等を容易に実行するためのシャッターボタンが設けられていてもよい。
【００２２】
そして、撮影された静止画や動画のデータ、及び動画等と同期して記録された音声データは、例えばＥＰＲＯＭ１０ｄ、或いは前述した装着部に装着されたカード型メモリに記録され、表示部４やスピーカ５ａ等によって再生可能である。また、表示部４には、この携帯電話機１とは異なる他の機器で撮影された静止画や動画（例えば、ＥＰＲＯＭ１０ｄや前記カード型メモリに記録されたもの）も再生可能である。
【００２３】
また、携帯電話機１には、音声データを送受信して通話する音声通話機能のほか、ＴＶ（テレビ）電話機能が備えられていてもよい。更に、携帯電話機１には、電子メール機能、インターネット接続機能、ＴＶ放送表示機能、スケジュール管理機能、電卓機能、アラーム(目覚まし)機能、音楽データ再生機能、などが備えられていてもよいことは、いうまでもない。
【００２４】
次に、電池パック２０及びその関連構成について説明する。
電池パック２０は、筐体２よりも小さく、薄い直方体状の箱形の電池ケース２０ａを備える。電池ケース２０ａ内には、二次電池である電池セル２１の他に、例えば、過充電や過放電を防止するためのスイッチング素子及びコントロールＩＣ（図示省略）や、外部の回路で電池パック２０の温度を検知するための抵抗であるサーミスタ（図示省略）などが内蔵されている。
【００２５】
図４（ａ）に示すように、電池ケース２０ａの正面には、ＲＦＩＤアンテナ２３が形成されている。ＲＦＩＤアンテナ２３は、この場合、電池ケース２０ａの正面の外周部を略３周分だけ周回するように形成された線状（幅の狭い帯状）の導体よりなる。このＲＦＩＤアンテナ２３の両端は、電池ケース２０ａの下面を経て裏面側に形成された電池側ＲＦＩＤ端子ＴＭ１１，１２（図４（ｂ）に示す）にそれぞれ接続されている。
【００２６】
また図４（ｂ）に示すように、電池ケース２０ａの裏面には、非接触充電用のコイル２２が、正面側のＲＦＩＤアンテナ２３とは別個に形成されている。コイル２２は、この場合、電池ケース２０ａの裏面の外周部を略１周分だけ周回するように形成された線状の導体よりなる。このコイル２２の両端は、電池ケース２０ａの上面に形成された後述の電池側充電端子ＴＭ９，１０（図３（ｂ）に示す）にそれぞれ接続されている。また電池ケース２０ａの裏面の下部には、図４（ｂ）に示すように、電池側ＲＦＩＤ端子ＴＭ１１，１２が形成されている。
【００２７】
次に図３（ａ）に示すように、筐体２の裏面には、電池パック２０を装着できる収納凹部２ａ（電池装着部）が形成されている。この収納凹部２ａ及び電池パック２０は、電池パック２０の表裏を反転させて収納凹部２ａ内に対して電池パック２０を着脱できる構造となっている。すなわち、図５（ａ）に示すように、電池パック２０の正面を筐体２の裏面の表面側に位置させて電池パック２０を収納凹部２ａ内に装着することもできるし、また図５（ｂ）に示すように、電池パック２０の裏面を筐体２の裏面の表面側に位置させて電池パック２０を収納凹部２ａ内に装着することもできる構成となっている。以下では、図５（ａ）に示す向きに電池パック２０を装着した状態を正面外側状態といい、図５（ｂ）に示す向きに電池パック２０を装着した状態を裏面外側状態という。
【００２８】
ここで、収納凹部２ａの表面（開口）は、電池パック２０を装着した状態で、図示省略したカバー（蓋部材）を取り付けることによって閉じられる。また、このように取り付けられたカバーによって装着された電池パック２０が覆われ保護される。図３（ａ）や図５は、このカバーを取り外した状態を図示している。また図３（ａ）は、さらに電池パック２０を取り外した状態を図示している。なお、図３（ａ）と図４において一点鎖線で示すのは、電池パック２０の反転の中心となる軸線Ａ１と軸線Ａ２である。軸線Ａ１は電池パック２０に対して固定された線であり、軸線Ａ２は筐体２に対して固定された線である。電池パック２０を反転させて装着の向きを変更しても、これら軸線Ａ１と軸線Ａ２が常に一致する構成となっている。逆にいうと、電池パック２０を反転させて装着の向きを変更しても、筐体２と電池パック２０の間で相対的に変わらない位置が、軸線Ａ１と軸線Ａ２の位置である。
【００２９】
図３（ｂ）に示すように、電池ケース２０ａの上端面には、端子ＴＭ４〜１０が設けられている。端子ＴＭ４〜１０のうち、端子ＴＭ４〜８は、電池側電池端子である。これら端子ＴＭ４〜８のうち、端子ＴＭ４と端子ＴＭ８は電池セル２１の負極側に接続されたマイナス端子（−）であり、端子ＴＭ５と端子ＴＭ７は前述したサーミスタ（温度測定用の抵抗）の一方の端子に接続されたサーミスタ端子（Ｔ）であり、端子ＴＭ６は電池セル２１の正極側に接続されたプラス端子（＋）である。
【００３０】
ここで、これら電池側電池端子ＴＭ４〜８は、電池パック２０の反転の中心となる軸線Ａ１に対して対称に設けられている。本実施形態の場合、プラス端子ＴＭ６が軸線Ａ１上に配置され、その両側同距離の位置にサーミスタ端子ＴＭ５，７が配置され、さらにその両側同距離の位置にマイナス端子ＴＭ４，８が配置されている。
【００３１】
なお、電池パック２０に内蔵された前述のサーミスタの一方の端子はサーミスタ端子ＴＭ５，７に接続されているが、このサーミスタの他方の端子は、電池パック２０内において電池セル２１の負極側に接続されている。携帯電話本体１ａの例えば電源・充電回路１１では、マイナス端子ＴＭ４，８とサーミスタ端子ＴＭ５，７との間の抵抗値（すなわち、前記サーミスタの抵抗値）に基づいて電池パック２０内の温度に相当する信号を生成する。この信号（温度データ）は、携帯電話本体１ａにおいて例えば充電制御機能（電池パック２０の温度が規定値を超えていると充電を停止するといった機能）に利用される。
【００３２】
また、端子ＴＭ４〜１０のうち、端子ＴＭ９，１０は、電池側充電端子である。この電池側充電端子ＴＭ９，１０は、既述したように、電池ケース２０ａの裏面に形成された非接触充電用のコイル２２の両端に接続された端子である。
【００３３】
一方、図３（ａ）に示すように、筐体２の収納凹部２ａにおける上部には、本体側電池端子ＴＭ１〜３と本体側充電端子ＴＭ１５，１６が設けられている。本体側電池端子ＴＭ１〜３のうち、端子ＴＭ１はプラス端子、端子ＴＭ２はサーミスタ端子、端子ＴＭ３はグランド端子（マイナス端子）である。またプラス端子ＴＭ１は、前述した軸線Ａ２上に配置されている。また、筐体２の収納凹部２ａにおける下部には、本体側ＲＦＩＤ端子ＴＭ１３，１４が設けられている。
【００３４】
以上の筐体２に設けられた本体側の端子のうち、まず、本体側電池端子ＴＭ１〜３は、前述した電池側電池端子ＴＭ４〜８と対をなす端子であり、これら本体側電池端子ＴＭ１〜３と電池側電池端子ＴＭ４〜８は、電池用コネクタ３１（図６に示す）を構成している。すなわち、これら本体側電池端子ＴＭ１〜３と電池側電池端子ＴＭ４〜８は、電池パック２０の着脱にともなって接離（接触したり離れたりすること）して、電池セル２１と携帯電話本体１ａ（電源・充電回路１１）との間の電気的接続及び離脱を行う電池用コネクタ３１として機能する。
【００３５】
この電池用コネクタ３１は、前述の正面外側状態（図５（ａ））で電池パック２０が装着されると、プラス端子ＴＭ１とプラス端子ＴＭ６が、サーミスタ端子ＴＭ２とサーミスタ端子ＴＭ５が、さらにグランド端子ＴＭ３とマイナス端子ＴＭ４が、それぞれ接触して導通することによって接続状態となる。また電池用コネクタ３１は、前述の裏面外側状態（図５（ｂ））で電池パック２０が装着されている場合には、プラス端子ＴＭ１とプラス端子ＴＭ６が、サーミスタ端子ＴＭ２とサーミスタ端子ＴＭ７が、さらにグランド端子ＴＭ３とマイナス端子ＴＭ８が、それぞれ接触して導通することによって接続状態となる。
【００３６】
また、本体側充電端子ＴＭ１５，１６は、前述した電池側充電端子ＴＭ９，１０と対をなす端子であり、これら本体側充電端子ＴＭ１５，１６と電池側充電端子ＴＭ９，１０は、充電用コネクタ３２（図６（ｂ）に示す）を構成している。すなわち、これら本体側充電端子ＴＭ１５，１６と電池側充電端子ＴＭ９，１０は、電池パック２０の着脱にともなって接離して、非接触充電用のコイル２２と携帯電話本体１ａ（電源・充電回路１１）との間の電気的接続及び離脱を行う充電用コネクタ３２として機能する。
【００３７】
この充電用コネクタ３２は、前述の正面外側状態（図５（ａ））で電池パック２０が装着されると、電池側充電端子ＴＭ９，１０が軸線Ａ２を中心に本体側充電端子ＴＭ１５，１６と対称の位置（図３（ａ）において左右方向反対側の位置）に離れるため、それぞれの端子が非接触となり非接続状態となる。また充電用コネクタ３２は、前述の裏面外側状態（図５（ｂ））で電池パック２０が装着されている場合には、端子ＴＭ１５と端子ＴＭ９が、さらに端子ＴＭ１６と端子ＴＭ１０が、それぞれ接触して導通することによって接続状態となる。
【００３８】
また、本体側ＲＦＩＤ端子ＴＭ１３，１４は、前述した電池側ＲＦＩＤ端子ＴＭ１１，１２と対をなす端子であり、これら本体側ＲＦＩＤ端子ＴＭ１３，１４と電池側ＲＦＩＤ端子ＴＭ１１，１２は、ＲＦＩＤ用コネクタ３３（図６（ａ）に示す）を構成している。すなわち、これら本体側ＲＦＩＤ端子ＴＭ１３，１４と電池側ＲＦＩＤ端子ＴＭ１１，１２は、電池パック２０の着脱にともなって接離して、ＲＦＩＤアンテナ２３と携帯電話本体１ａ（ＲＦＩＤ回路１４）との間の電気的接続及び離脱を行うＲＦＩＤ用コネクタ３３として機能する。
【００３９】
このＲＦＩＤ用コネクタ３３は、前述の裏面外側状態（図５（ｂ））で電池パック２０が装着されると、電池側ＲＦＩＤ端子ＴＭ１１，１２が図５（ｂ）に示すように表面側にきて本体側ＲＦＩＤ端子ＴＭ１３，１４から離れるため、それぞれの端子が非接触となり非接続状態となる。またＲＦＩＤ用コネクタ３３は、前述の正面外側状態（図５（ａ））で電池パック２０が装着されている場合には、端子ＴＭ１３と端子ＴＭ１１が、さらに端子ＴＭ１４と端子ＴＭ１２が、それぞれ接触して導通することによって接続状態となる。
【００４０】
以上説明した充電用コネクタ３２とＲＦＩＤ用コネクタ３３の接続状態の変化によって、本実施形態では、前述の正面外側状態（ＲＦＩＤアンテナ２３が収納凹部２ａの表面側に位置する電池パック２０の装着状態）では、ＲＦＩＤ機能（近距離通信機能）が実行可能で、非接触充電機能が実行不可能となり、前述の裏面外側状態（非接触充電用のコイル２２が収納凹部２ａの表面側に位置する電池パック２０の装着状態）では、ＲＦＩＤ機能（近距離通信機能）が実行不可能であり、非接触充電機能が実行可能となる。
【００４１】
次に、携帯電話機１の電池パック２０の装着及びそれによる作用について説明する。
携帯電話機１に電池パック２０を取り付ける際、ＲＦＩＤ機能を使う場合には、ＲＦＩＤアンテナ２３を手前にして前述の正面外側状態で収納凹部２ａに取り付け（図５（ａ））、非接触充電機能を使う場合には、コイル２２を手前にして前述の裏面外側状態で収納凹部２ａに取り付ければよい（図５（ｂ））。
【００４２】
前記正面外側状態で電池パック２０を取り付ければ、電池パック２０を覆う前述のカバーを収納凹部２ａに取り付けた場合、ＲＦＩＤアンテナ２３はこのカバーの近くに位置し、コイル２２や電池セル２１と適正なクリアランスを持つことで、アンテナとして適切な性能を持たせることが可能となる。これにより、携帯電話機１の裏面の前記カバー付近を通信相手となるＲＦＩＤの端末に近づけることで、ＲＦＩＤ機能の通信を良好に行うことができる。
【００４３】
一方、前記裏面外側状態で電池パック２０を取り付ければ、電池パック２０を覆う前述のカバーを収納凹部２ａに取り付けた場合、コイル２２はこのカバーの近くに位置し、ＲＦＩＤアンテナ２３や電池セル２１と適正なクリアランスを持つことで、非接触充電用のコイルとして適切な性能を持たせることが可能となる。これにより、携帯電話機１の裏面の前記カバー付近を非接触充電の充電台に近づけることで、良好に非接触充電を行うことができる。
【００４４】
ここで、ＲＦＩＤ機能を使う場合の電池パック２０と携帯電話本体１ａの接続は、既述したように、電池セル２１と電源・充電回路１１が電池用コネクタ３１における所定の端子（電池側電池端子ＴＭ６，５，４と本体側電池端子ＴＭ１，２，３）によって接続され、ＲＦＩＤアンテナ２３とＲＦＩＤ回路１４がＲＦＩＤ用コネクタ３３によって接続される（図６（ａ））。一方、非接触充電機能を使う場合は、電池セル２１と電源・充電回路１１は電池用コネクタ３１における一部異なる端子（電池側電池端子ＴＭ６，７，８と本体側電池端子ＴＭ１，２，３）によって接続され、非接触充電用のコイル２２と電源・充電回路１１が充電用コネクタ３２によって接続される（図６（ｂ））。
【００４５】
以上のとおり、本実施形態によれば、通信機能（この場合、ＲＦＩＤ機能）と非接触充電機能を、省スペースかつ高性能に実現できる。すなわち、ＲＦＩＤアンテナ２３とコイル２２が電池パック２０の裏表に別個に離れて搭載されているので、これらアンテナとコイルの干渉が無くなり、それぞれの無線性能を高く確保することが容易となる。また、これらアンテナとコイルは、これらアンテナとコイルを構成する導体の僅かな厚さ分だけ電池パック２０の厚さを僅かに厚くするだけで配置できることになるため、携帯電話機１（無線装置）内の限られたスペースに高密度に配置することができ、これらアンテナとコイルを設けても携帯電話機１の外径はほとんど大きくならない。
【００４６】
また本実施形態は、電池パック２０が収納凹部２ａ（電池装着部）に対して表裏を反転させて着脱可能である。これにより、電池パック２０の装着の向きの変更によって、ＲＦＩＤアンテナ２３とコイル２２のうち、使用する方を、携帯電話機１（無線装置）の裏面におけるより表面側に配置することができる。したがって、アンテナによる通信機能（この場合、ＲＦＩＤ機能）と非接触充電機能のそれぞれを、より高性能に実現できる。
【００４７】
また本実施形態は、電池パック２０の着脱の際にコイル２２と携帯電話本体１ａ（無線装置本体）との間の電気的接続及び離脱を行う充電用コネクタ３２と、電池パック２０の着脱の際にＲＦＩＤアンテナ２３と携帯電話本体１ａとの間の電気的接続及び離脱を行うＲＦＩＤ用コネクタ３３（通信用コネクタ）とは、収納凹部２ａと電池パック２０とに設けられて電池パック２０の着脱にともなって接離する端子（電池側充電端子ＴＭ９，１０と本体側充電端子ＴＭ１５，１６、電池側ＲＦＩＤ端子ＴＭ１１，１２と本体側ＲＦＩＤ端子ＴＭ１３，１４）により構成されている。このため、これらアンテナとコイルに関して、電池パック２０の脱着に伴う配線作業（コネクタの脱着作業）が不要であり、電池パック２０の着脱作業が容易である。
【００４８】
また本実施形態は、コイル２２が収納凹部２ａの表面側に位置する電池パック２０の装着状態（裏面外側状態）では、充電用コネクタ３２が接続状態となる一方で、ＲＦＩＤ用コネクタ３３が非接続状態となり、ＲＦＩＤアンテナ２３が収納凹部２ａの表面側に位置する電池パック２０の装着状態（正面外側状態）では、ＲＦＩＤ用コネクタ３３が接続状態となる一方で、充電用コネクタ３２が非接続状態となる。このため、非接触充電機能とＲＦＩＤ機能（近距離通信機能）は、電池パック２０の装着の向きの切り替えによって、いずれか一方のみが実行可能となる。したがって、例えば子供が利用する携帯電話機１についてＲＦＩＤ機能を禁止したい場合などに、電池パック２０を所定の向きに装着しておくことでＲＦＩＤ機能が確実に働かないようにすることができるなどの利点がある。
【００４９】
また本実施形態は、電池パック２０の着脱の際に電池セル２１と携帯電話本体１ａとの間の電気的接続及び離脱を行う電池用コネクタ３１が、収納凹部２ａと電池パック２０とに設けられて電池パック２０の着脱にともなって接離する端子（電池側電池端子ＴＭ４〜８と本体側電池端子ＴＭ１〜３）により構成されている。このため、この電池セル２１に関して、電池パック２０の脱着に伴う配線作業（コネクタの脱着作業）が不要であり、電池パック２０の着脱作業が容易である。
【００５０】
特に本実施形態は、電池用コネクタ３１を構成する前記端子の一方側（この場合、電池側電池端子ＴＭ４〜８）が、電池パック２０の反転の中心となる軸線Ａ１に対して対称に設けられていることにより、電池パック２０の装着の向きにかかわらず、電池用コネクタ３１が接続状態となる。このため、電池パック２０の装着の向きにかかわらず、電池パック２０を収納凹部２ａにはめ込んで装着するだけで、電池セル２１と携帯電話本体１ａとの接続が確保される。したがって、電池パック２０を外して表裏を反転させて再度装着する際にも、配線作業（コネクタの脱着作業）等は不要であり、この点でも電池パック２０の着脱作業や反転作業が容易である。
【００５１】
（他の実施形態）
次に本発明の他の実施形態について説明する。
まず、前述の第１実施形態では、電池パックにＲＦＩＤ機能用のアンテナを設けたが、ＲＦＩＤ機能以外の通信機能のためのアンテナを設けてもよい。但し、ＲＦＩＤ機能のアンテナは、既述したように、ある程度の面積が必要であり、通信距離も短いので、本発明を適用する効果（電池パックの一面に設けることによる高性能化及び省スペース効果）が著しい。
【００５２】
また本発明は、電池パックの表裏を反転することができない態様でもよい。無線装置によっては、電池パックの両面が無線装置の筐体の表面近くに配置される可能性があり、このような場合には、電池パックを反転させる必要がないからである。
【００５３】
また、各コネクタは、電池パックの表裏を反転させる際に接続したままとすることができる態様でもよい。例えば、電池パックから電線を伸ばし、この電線の端末を無線装置本体側に接続するコネクタを設け、電池パックの表裏を反転させても前記電線が捻じれることによって、コネクタの接続状態を維持できる態様があり得る。
【００５４】
また、電池パックの表裏を反転させても（すなわち、電池パックの装着の向きを変更しても）、アンテナとコイルの両方の接続が維持されて、近距離通信などの通信機能と非接触充電機能の両方が同時に使用できる態様もあり得る。
【００５５】
また、電池用コネクタ３１において対称に設ける端子は、電池側ではなく、本体側の端子（前述の第１実施形態では、本体側電池端子ＴＭ１〜３）であってもよい。すなわち、例えば図３（ａ）において、プラス端子ＴＭ１の左側に、サーミスタ端子とグランド端子を、右側のサーミスタ端子ＴＭ２やグランド端子ＴＭ３と対称に（軸線Ａ２を中心に対称に）設けた態様でもよい。この場合、電池側電池端子ＴＭ４〜８では、例えば一方のサーミスタ端子ＴＭ７とマイナス端子ＴＭ８を削除することができる。
【００５６】
また無線装置は、電池パック以外にもバッテリ（例えば一次電池）を内蔵し、無線装置本体がこのバッテリからも電源供給を受ける態様でもよい。
【００５７】
また、以上説明した実施形態では携帯電話機を例に挙げて説明したが、本発明は携帯電話機以外の装置、例えば、ＰＤＡ（携帯情報端末）、パーソナルコンピュータ（例えば、ノートＰＣ、タブレットＰＣ）、音楽プレイヤ、ゲーム機、携帯ラジオ等、二次電池を搭載し非接触充電機能と通信機能を備える各種の電子機器等に適用可能である。
【００５８】
以下、本発明の特徴を付記する。
前記の各実施形態の一部又は全部は、以下の付記のようにも記載され得るが、以下には限られない。
（付記１）
筐体と、
この筐体に装着される電池パックと、
この電池パックの表面と裏面のうちの一方に設けられた通信用のアンテナと、
前記電池パックの表面と裏面のうちの他方に設けられた非接触充電用のコイルと、
前記筐体に設けられて前記電池パック内の電池セルから電力供給を受けて作動し、少なくとも、前記コイルを介して外部から非接触で供給される電力によって前記電池セルの充電を行う非接触充電機能、及び、前記アンテナを介して外部との通信を行う通信機能を有する無線装置本体と、
を備えることを特徴とする無線装置。
【００５９】
（付記２）
前記筐体は、一面に電池装着部を有し、
前記電池パックは、前記電池装着部に対して表裏を反転させて着脱可能であることを特徴とする付記１に記載の無線装置。
【００６０】
（付記３）
前記電池パックの着脱の際に前記コイルと前記無線装置本体との間の電気的接続及び離脱を行う充電用コネクタと、前記電池パックの着脱の際に前記アンテナと前記無線装置本体との間の電気的接続及び離脱を行う通信用コネクタとは、前記電池装着部と前記電池パックとに設けられて前記電池パックの着脱にともなって接離する端子により構成されていることを特徴とする付記２に記載の無線装置。
【００６１】
（付記４）
前記コイルが前記電池装着部の表面側に位置する前記電池パックの装着状態では、前記充電用コネクタが接続状態となる一方で、前記通信用コネクタが非接続状態となり、
前記アンテナが前記電池装着部の表面側に位置する前記電池パックの装着状態では、前記通信用コネクタが接続状態となる一方で、前記充電用コネクタが非接続状態となることを特徴とする付記３に記載の無線装置。
【００６２】
（付記５）
前記電池パックの着脱の際に前記電池セルと前記無線装置本体との間の電気的接続及び離脱を行う電池用コネクタは、前記電池装着部と前記電池パックとに設けられて前記電池パックの着脱にともなって接離する端子により構成されていることを特徴とする付記２ないし付記４のいずれかに記載の無線装置。
【００６３】
（付記６）
前記電池用コネクタを構成する前記端子の一方側が、前記電池パックの反転の中心となる軸線に対して対称に設けられていることにより、前記コイルが前記電池装着部の表面側に位置する前記電池パックの装着状態においても、前記アンテナが前記電池装着部の表面側に位置する前記電池パックの装着状態においても、前記電池用コネクタが接続状態となることを特徴とする付記５に記載の無線装置。
【００６４】
（付記７）
前記アンテナを介して外部と行う通信は、ＲＦＩＤ機能のための近距離通信であることを特徴とする付記１ないし付記６のいずれかに記載の無線装置。
【符号の説明】
【００６５】
１  携帯電話機（無線装置）
１ａ  携帯電話本体（無線装置本体）
２  筐体
２ａ  収納凹部（電池装着部）
１０  中央制御部
２０  電池パック
２１  電池セル
２２  コイル（非接触充電用のコイル）
２３  ＲＦＩＤアンテナ（通信用のアンテナ）
３１  電池用コネクタ
３２  充電用コネクタ
３３  ＲＦＩＤ用コネクタ（通信用コネクタ）
ＴＭ１〜３  本体側電池端子
ＴＭ４〜８  電池側電池端子
ＴＭ９，１０  電池側充電端子
ＴＭ１１，１２  電池側ＲＦＩＤ端子
ＴＭ１３，１４  本体側ＲＦＩＤ端子
ＴＭ１５，１６  本体側充電端子
【図１】
2012244263.tif 000003
【図２】
2012244263.tif 000004
【図３】
2012244263.tif 000005
【図４】
2012244263.tif 000006
【図５】
2012244263.tif 000007
【図６】
2012244263.tif 000008